(57)【要約】【課題】コンテンツの閲覧者に、負担をかけず多くのコンテンツを閲覧させること。【解決の手段】任意に指定した時間で複数のコンテンツを順番に表示させる自動スライドショー機能を持つコンテンツ閲覧コンピュータプログラムにおいて、ＧＵＩ内に一定の領域を備え、前記ＧＵＩ領域内の選択手段の位置によって、コンテンツの表示制御をすることによって、負担をかけず多くのコンテンツを閲覧させることが可能となった。【選択図】図１
2006293961.tif 000002
【特許請求の範囲】
【請求項１】
任意に指定した時間で複数のコンテンツを順番に表示させる自動スライドショー機能（以下自動スライドショーとする）を持つコンテンツ閲覧コンピュータプログラムにおいて、ＧＵＩ内に一定の領域（以下ＧＵＩ領域）を備え、前記ＧＵＩ領域内の選択手段の位置によって、コンテンツの表示制御をするステップを備えることを特徴とするコンテンツ閲覧コンピュータプログラム。
【請求項２】
請求項１に記載のコンテンツ閲覧コンピュータプログラムにおいて、コンテンツの表示制御をするステップは、前記ＧＵＩ領域の領域を任意の大きさに少なくとも３分割（以下、分割領域１、分割領域２、分割領域３とする）し、前記ＧＵＩ領域の分割領域１に選択手段がありかつ停止した場合には自動スライドショーを戻し（戻す方向で、任意に指定した時間で複数のコンテンツを順番に表示させる）、前記ＧＵＩ領域の分割領域２に選択手段がある場合には自動スライドショーを停止し、前記ＧＵＩ領域の分割領域３に選択手段がありかつ停止した場合には自動スライドショーを進め（進む方向で、任意に指定した時間で複数のコンテンツを順番に表示させる）、前記ＧＵＩ領域の領域からその他の領域へ選択手段が移動した場合にはスライドショーを停止するステップとすることを特徴とするコンテンツ閲覧コンピュータプログラム。
【請求項３】
分割領域１を前記ＧＵＩ領域の領域の上部、分割領域２を前記ＧＵＩ領域の領域の中部、分割領域３を前記ＧＵＩ領域の領域の下部とすることを特徴とする、請求項２に記載のコンテンツ閲覧コンピュータプログラム。
【請求項４】
分割領域１または分割領域３の選択手段の位置によって、次のコンテンツを表示するまでの時間（以下インターバルとする）を可変させるステップを備えることを特徴とする、請求項２〜３の何れか１つに記載のコンテンツ閲覧コンピュータプログラム。
【請求項５】
前記分割領城１の領域内のより上部に選択手段がある程、自動スライドショーを戻すインターバルを減じ下部に選択手段がある程インターバルを増やし、また、前記分割領域３の領域内のより下部に選択手段がある程、自動スライドショーを進めるインターバルを減じ上部に選択手段がある程インターバルを増やすステップを備えることを特徴とする、請求項３に記載のコンテンツ閲覧コンピュータプログラム。
【請求項６】
選択手段をポインティングディバイスにより操作されるＧＵＩポインタとし、前記ポインティングディバイスに付随するボタンの入力によって自動スライドショーを停止するステップを備えることを特徴とする、請求項１〜５の何れか１つに記載のコンテンツ閲覧コンピュータプログラム。
【請求項７】
ＧＵＩ領域を、自動スライドショーで表示するコンテンツの見出し一覧が表示されているＧＵＩリストとすることを特徴とする、請求項１〜６の何れか１つに記載のコンテンツ閲覧コンピュータプログラム。
【請求項８】
マウスホイールからの入力によって、自動スライドショーを停止するステップと、前記ホイールの回転方向によってスライドショーの進む／戻るを制御するステップ、とを備えることを特徴とする、請求項１〜７の何れか１つに記載のコンテンツ閲覧コンピュータプログラム。
【請求項９】
選択手段が停止しているか動いているかを判別するに当たって任意のあそびを持たせるステップを備えることを特徴とする、請求項１〜８の何れか１つに記載のコンテンツ閲覧コンピュータプログラム。
【請求項１０】
サーチエンジンの検索結果を取得するステップと、取得結果にリンクされているコンテンツを前記自動スライドショーのコンテンツとして前記自動スライドショーをおこなうステップと、を備えることを特徴とする、請求項１〜９の何れか１つに記載のコンテンツ閲覧コンピュータプログラム。
【請求項１１】
請求項１０に記載のコンテンツ閲覧コンピュータプログラムを含むことを特徴とするＷＥＢブラウザプログラム。
【請求項１２】
少なくとも請求項１〜１１に記載のコンテンツ閲覧コンピュータプログラムの１つを記憶した記憶装置を備え、かつ前記プログラムの実行手段を備えることを特徴とするコンテンツ閲覧システム。
【発明の詳細な説明】
【技術分野】
【０００１】本発明は、コンテンツの表示システムおよびコンピュータプログラムに係わり、特に、素早い情報へのアクセスをもたらすことができるコンテンツの閲覧システムおよびコンピュータプログラムに関する。
【背景技術】
【０００２】従来、インターネットブラウザ等のコンテンツ閲覧コンピュータプログラムにおいて、コンテンツを素早く閲覧するために、ページ内のリンクをスライドショーとして表示可能なコンピュータプログラムは存在したが、これをマウスポインタなどの選択手段が一定の領域内の存在しかつその領域内での位置によって、自動スライドショーを自在にコントロール可能なコンテンツ閲覧コンピュータプログラムは存在しなかった。【０００３】また、ＧＵＩリスト上の領域を用いてよってスライドショーするコンテンツ閲覧コンピュータプログラムは存在しなかった。【０００４】なお、本発明に関連する公知の技術として、リンクをスライドショーとして表示可能なコンピュータプログラムやスライドショーをマウスホイールによって制御して、素早い情報へのアクセスをもたらすコンピュータプログラムが、リストブラウザという名前で既に公開され公知となっている。
【非特許文章１】
「リストブラウザ」
ｈｔｔｐ：／／ｗｗｗ．ｉｐａ．ｇｏ．ｊｐ／ＳＰＣ／ｒｅｐｏｒｔ／０３ｆｙ−ｐｒｏ／ｍｉｔｏ／１５−９８７ｄ．ｐｄｆ
【発明の開示】
【発明が解決しようとする課題】
【０００５】しかしながら、非特許文章１は、ホイールを回す利用者の指が疲れるといった問題や操作が面倒であるといった問題が存在する。
本発明はこのような問題点に鑑みてなされたものであり、本発明の目的はコンテンツ閲覧システムやコンピュータプログラム（例えばＷＥＢブラウザ）の利用者に対して目的の情報に素早く、しかもなるべく操作することなく到達できるようにするシステムやソフトの提供を目的とする。【０００６】ここで用語および関連した事項を解説しておく。【０００７】ＧＵＩとは、グラフィカルユーザーインターフェイスの略で、主要なＯＳで採用されているインターフェイスを示す。このグラフィカルユーザーインターフェイス上にＧＵＩリストを含め様々なＧＵＩ部品を表示することが可能です。【０００８】スライドショーとは、複数のコンテンツを順番に表示する機能で、キーを押すと切り替わるものと、設定した時間が経つと自動的に次のコンテンツを表示可能なものがあり基本的には両方の機能が備えられているものが多い。当然、進むと戻るがあり、前のページへ戻るまたは次のページまで進むまでの時間も変更できる。【０００９】自動スライドショーとは、少なくとも設定した時間が経つと自動的に次のコンテンツを表示する機能が備えられていて、進むと戻るがあり、前のページへ戻るまたは次のページまで進むまでの時間も変更できるスライドショーである。【００１０】選択手段とは、ＧＵＩにおいて選択を行うものであり、一般的にはマウスポインタなどを指す。【００１１】本発明におけるコンテンツとは、映像、画像、文書などがデジタル化したものを指す。例えば、ＷＥＢページやデジタル画像／映像／文章など。
【課題を解決するための手段】
【００１２】請求項１〜１１はコンピュータプログラムに関する発明であり、請求項１２はコンピュータシステムに関する発明である。【００１３】請求項１の発明は、任意に指定した時間で複数のコンテンツを順番に表示させる自動スライドショー機能（以下自動スライドショーとする）を持つコンテンツ閲覧コンピュータプログラムにおいて、ＧＵＩ内に一定の領域（以下ＧＵＩ領域）を備え、前記ＧＵＩ領域内の選択手段の位置によって、コンテンツの表示制御をするステップを備えることを特徴とするコンテンツ閲覧コンピュータプログラムの発明である。【００１４】請求項２の発明は、請求項１に記載のコンテンツ閲覧コンピュータプログラムにおいて、コンテンツの表示制御をするステップは、前記ＧＵＩ領域の領域を任意の大きさに少なくとも３分割（以下、分割領域１、分割領域２、分割領域３とする）し、前記ＧＵＩ領域の分割領域１に選択手段がありかつ停止した場合には自動スライドショーを戻し（戻す方向で、任意に指定した時間で複数のコンテンツを順番に表示させる）、前記ＧＵＩ領域の分割領域２に選択手段がある場合には自動スライドショーを停止し、前記ＧＵＩ領域の分割領域３に選択手段がありかつ停止した場合には自動スライドショーを進め（進む方向で、任意に指定した時間で複数のコンテンツを順番に表示させる）、前記ＧＵＩ領域の領域からその他の領域へ選択手段が移動した場合にはスライドショーを停止するステップとすることを特徴とするコンテンツ閲覧コンピュータプログラムの発明である。【００１５】請求項３の発明は、分割領域の位置に関する発明であり、分割領域１を前記ＧＵＩ領域の領域の上部、分割領域２を前記ＧＵＩ領域の領域の中部、分割領域３を前記ＧＵＩ領域の領域の下部とすることを特徴とする、請求項２に記載のコンテンツ閲覧コンピュータプログラムの発明である。【００１６】請求項４の発明は、自動スライドショーの時間を制御するための発明であり、分割領域１または分割領域３の選択手段の位置によって、次のコンテンツを表示するまでの時間（以下インターバルとする）を可変させるステップを備えることを特徴とする、請求項２〜３の何れか１つに記載のコンテンツ閲覧コンピュータプログラムの発明である。【００１７】請求項５の発明は、前記分割領域１の領域内のより上部に選択手段がある程、自動スライドショーを戻すインターバルを減じ下部に選択手段がある程インターバルを増やし、また、前記分割領域３の領域内のより下部に選択手段がある程、自動スライドショーを進めるインターバルを減じ上部に選択手段がある程インターバルを増やすステップを備えることを特徴とする、請求項３に記載のコンテンツ閲覧コンピュータプログラムの発明である。【００１８】請求項６の発明は、マウスボタン等が押された場合に自動スライドショーを停止するための発明であり、選択手段をポインティングディバイスにより操作されるＧＵＩポインタとし、前記ポインティングディバイスに付随するボタンの入力によって自動スライドショーを停止するステップを備えることを特徴とする、請求項１〜５の何れか１つに記載のコンテンツ閲覧コンピュータプログラムの発明である。【００１９】請求項７の発明は、ＧＵＩ領域を、自動スライドショーで表示するコンテンツの見出し一覧が表示されているＧＵＩリストとすることを特徴とする、請求項１〜６の何れか１つに記載のコンテンツ閲覧コンピュータプログラムの発明である。【００２０】請求項８の発明は、マウスホイールからの入力によって、自動スライドショーを停止するステップと、前記ホイールの回転方向によってスライドショーの進む／戻るを制御するステップ、とを備えることを特徴とする、請求項１〜７の何れか１つに記載のコンテンツ閲覧コンピュータプログラムの発明である。【００２１】請求項９の発明は、選択手段が停止しているか動いているかを判別するに当たって任意のあそびを持たせるステップを備えることを特徴とする、請求項１〜８の何れか１つに記載のコンテンツ閲覧コンピュータプログラムの発明である。【００２２】請求項１０の発明は、サーチエンジンの検索結果を取得するステップと、取得結果にリンクされているコンテンツを前記自動スライドショーのコンテンツとして前記自動スライドショーをおこなうステップと、を備えることを特徴とする、請求項１〜９の何れか１つに記載のコンテンツ閲覧コンピュータプログラムの発明である。【００２３】請求項１１の発明は、既存技術のリストブラウザに本発明による機能を装備した発明で、請求項１０に記載のコンテンツ閲覧コンピュータプログラムを含むことを特徴とするＷＥＢブラウザプログラムの発明である。【００２４】請求項１２の発明は、少なくとも請求項１〜１１に記載のコンテンツ閲覧コンピュータプログラムの１つを記憶した記憶装置を備え、かつ前記プログラムの実行手段を備えることを特徴とするコンテンツ閲覧システムの発明である。
【発明の効果】
【００２５】従来、自動スライドショーの進む／戻るの変更やインターバルの変更やスライドショーの停止にはＧＵＩボタンを押したり、数値を入力したりする操作が必要であったが、本発明によれば、選択手段の移動のみによって操作可能となったため、ユーザーの負担が軽減され、より多くのコンテンツを閲覧可能となった。【００２６】また、本発明をＷＥＢブラウザとして利用し、サーチエンジンから検索結果を得て、それらを自動スライドショーとして閲覧するときに、選択手段の移動のみによって操作可能で、あとは自動で検索結果を閲覧可能となったため、ユーザーの負担が軽減され、より多くの前記検索結果のページを閲覧可能となった。
【発明を実施するための最良の形態】
【００２７】以下、本発明の実施形態を図面に基づき詳細に説明する。本発明はコンピュータプログラムであるからパソコンなどのコンピュータによって動作する。【００２８】図１に示すように、本発明の画面構成として少なくともＧＵＩ領域（１）とコンテンツ表示部（２）を設ける。前期領域は色や背景画像等が異なるなどユーザーに判別できるように表示されている方が望ましいが、プログラム側の認識としてＧＵＩ領域が存在すれば実施は可能である。【００２９】さらに、図２に示すように、ＧＵＩ領域（１）を少なくとも３分割して、分割領域１（３）、分割領域２（４）、分割領域３（５）の最低３つの分割領域をつくる。前記分割領域群はそれぞれの領域の色や背景画像等を変え、ユーザーに分かる形で分割されている方が望ましいが、必ずしもそうでなくても  プログラム側の認識として分割されていれば実施は可能である。【００３０】なお、本実施形態における選択手段（以下ポインタとする）の動きには任意のあそびを設定できるものとし、前記あそびの範囲であれば、選択手段は動いていないものとする。したがって、本実施形態では、ポインタにあそびの範囲内の動きがあったとしても停止しているものと見なす。【００３１】なお、本発明はイベンド駆動型のプログラムであるから、それぞれのイベンドに基づいて以下の説明を行う。【００３２】自動スライドショーの制御を行うための基本的なイベントは次のようになる。【００３３】まず、図４に示す自動スライドショーの起動イベント（７）について記す。このイベント後に自動スライドショーが起動（８）する。【００３４】勿論、このイベントは自動スライドショーが停止している場合に起こるイベントである。【００３５】分割領域１（３）内に選択手段（以下ポインタとする）がありかつ分割領域１（３）内で停止した場合に、自動スライドショーを戻すで起動。【００３６】分割領域３（５）内にポインタがありかつ分割領域３（５）内で停止した場合に、自動スライドショーを進めるで起動。【００３７】本実施形態においては以上の起動イベントが存在する。【００３８】なお、自動スライドショーの停止（１０）後に再び自動スライドショーを起動（１０）するためには再びあそび以上ポインタを動作させ所定の位置で停止し、起動イベント（７）を起こす必要がある。【００３９】次に、図４に示す自動スライドショーの停止イベントについて記す。このイベント後に自動スライドショーが停止（１０）する。【００４０】勿論、自動スライドショーが起動している場合に起こるイベントである。【００４１】分割領域２（４）にポインタが入った場合には、自動スライドショーを停止する。【００４２】この場合はポインタが領域内で停止する必要はない。入った時点で自動スライドショーを停止する。【００４３】ＧＵＩ領域（１）からポインタが出た場合には、自動スライドショーが動作していれば、これを停止する。【００４４】この場合は、出た時点で自動スライドショーを停止する。【００４５】ＧＵＩ領域（１）内で、ポインタが動いている場合に、自動スライドショーが動作していれば、これを停止する。【００４６】ポインタ操作デバイスに付属するボタン（マウスであればマウスボタン）が押された���ベントが起こった場合、自動スライドショーが動作していれば、これを停止する。もちろん、ボタンが押され上がる場合に発生するイベントでも代用可能であろうが、操作感覚の点から、ボタンが押された時点で停止するのがよい。【００４７】ポインタ操作デバイスに付属するホイールが回されたイベントが起こった場合、自動スライドショーが動作していれば、これを停止する。【００４８】このようにすることによって、ポインタがＧＵＩ領域外に出た場合やポインタ操作デバイスに付属するボタンやホイールを操作した場合に確実に自動スライドショーを停止することができ、他の操作への干渉を避けることが可能である。【００４９】次に、自動スライドショーのインターバルの制御イベントについて記す。【００５０】なお、このイベントを起こすタイミングは、自動スライドショーが起動している場合のみに行っても良いし、起動／停止の両方で起こしても良い。【００５１】自動スライドショーが戻る場合のインターバルの制御は、分割領域１（３）の縦軸に基づいて行うものとし、分割領域１（３）の最下点でインターバルを最も長くし、分割領域１（３）の最上点でインターバルを最も短くし、最下点と最上点の間では、分割領域１（３）の縦幅に基づいて、上にあるほどインターバルを短くするように、インターバルの増減を行う。【００５２】自動スライドショーが進む場合のインターバルの制御は、分割領域３（５）の縦軸に基づいて行うものとし、分割領域３（４）の最上点でインターバルを最も長くし、分割領域３（５）の最下点でインターバルを最も短くし、最下点と最上点の間では、分割領域３（５）の縦幅に基づいて、下にあるほどインターバルを短くするように、インターバルの増減を行う。【００５３】このようにすれば、自動スライドショーのインターバルの増減の制御をポインタの動きのみで行うことができる。【００５４】次に、ＧＵＩ領域（１）のユーザーインターフェイスについて記す。【００５５】図３で示すように、ＧＵＩ領域（１）をスライドショーで表示するコンテンツの見出し一覧が表示されているＧＵＩリスト（６）とし、現在表示されているコンテンツの見出しの項目を色付けすることによって、より便利なコンテンツ閲覧コンピュータプログラムとすることが可能である。【００５６】また、ＧＵＩ領域を分割している、分割領域１（３）、分割領域２（４）、分割領域３（５）は、それぞれ背景画像を変えたり、背景色を変えたりしてユーザーにそれぞれの領域を認識できるようにすると良い。もちろんＧＵＩリスト（６）であったとしても、背景画像や背景色の変更は行った方が望ましい。【００５７】次に、本発明をリストブラウザと融合させた場合について記す。【００５８】サーチエンジンの検索結果を取得し、取得結果にリンクされているコンテンツを前記自動スライドショーのコンテンツとして自動スライドショーで次々と表示できるようにすれば、検索後、ポインタを移動するだけで検索結果のＷＥＢページを閲覧することが可能となる。【００５９】次に、本プログラムを動作させるためのシステムについて記す。【００６０】ＧＵＩを備えているコンピュータシステムであれば動作できるので、ＧＵＩウインドウのＯＳによって制御され���、所謂パソコンといわれるコンピュータシステムなど、多くのシステムで動作可能である。【００６１】以上のような形態でおこなえば本発明を実施できる。
【実施例】
【００６２】本発明はいろいろな実施形態で実現できるが、具体的な例としてＷＥＢブラウザとして実施した場合の例について解説する。なお、ＷＥＢブラウザは、コンピュータはもちろんテレビや携帯電話にも搭載されている。【００６３】ブラウザのＧＵＩウインドウの横にＧＵＩリストを設け、表示中のページのリンクを抜き出して、アンカータイトルとＵＲＬを項目としてリストで表示できるようにする。【００６４】もちろん、サーチエンジンの検索結果を取得し、ＧＵＩリストに項目を表示できるようにする。【００６５】ここまでは、リストブラウザ等いくつかの既存のブラウザで実現されている。【００６６】前記ＧＵＩリストを、本発明におけるＧＵＩ領域とする。【００６７】前記ＧＵＩリストにあるＵＲＬで取得できるＷＥＢページを自動スライドショーで表示する場合に、本発明のプログラムを利用する。【００６８】自動スライドショーで閲覧中に興味のあるＷＥＢページが表示された場合はポインタを移動することによってスライドショーが停止し、そのまま前記ＧＵＩ領域外へ出てしまえば、そのＷＥＢページを操作することが可能となる。【００６９】本発明における分割領域内１、分割領域３におけるポインタ位置の上下で自動スライドショーのインターバルを制御可能である。【００７０】また、両面上にインターバルの数値を秒数などで表示すると操作者にとって分かりやすいといえるが、なくても構わない。【００７１】すると、リストブラウザのようにホイールを回したり、或いは他のブラウザのようにボタンを押したりことなくリストに示されたＷＥＢページを、ポインタの移動のみによって簡単に閲覧することができる。
【図面の簡単な説明】
【００７２】
【図１】本発明の画面構成を模式的に示す図。
【図２】本発明の画面構成における分割領域を模式的に示す図。
【図３】ＧＵＩリストを用いた場合の本発明の画面構成を模式的に示す図。
【図４】基本的な流れ図。
【符号の説明】
【００７３】１−ＧＵＩ領域、２−コンテンツ表示部、３−分割領域１、４−分割領域２、５−分割領域３、６−ＧＵＩリスト、７−起動イベント、８−自動スライドショー起動、９−停止イベント、１０−自動スライドショー停止。
【図１】
2006293961.tif 000003
【図２】
2006293961.tif 000004
【図３】
2006293961.tif 000005
【図４】
2006293961.tif 000006